(57)【要約】【課題】コミュニティに参加するユーザの情報を登録する仕組みやアクセス制限機能を設けることでより安全性を高めたネットワークコミュニーケーションシステムを提供する。【解決手段】自己紹介情報を登録し、管理者により設定された参加者条件を満たすと認められた会員、または自己紹介文とニックネームとを新たに登録した会員に対しては、掲示板ページが該当会員のクライアントマシン１０に表示される。自己紹介情報が他の参加者に公開されることで、参加者のなりすましを防止し、参加者の無責任な発言を抑止する効果を得ることができる。【選択図】        図１
2004152193.tif 000002
【特許請求の範囲】
【請求項１】
コンピュータネットワークを用いた共有仮想空間でコミュニケーションサービスを提供するネットワークコミュニケーションシステムであって、
会員の個人情報を認証用として登録すると共に、前記共有仮想空間でのサービスを提供する際に、前記共有仮想空間において公表される前記会員の自己紹介文とニックネームとを登録したサーバマシンと、
前記サーバマシンを管理する管理装置とを有し、
前記サーバマシンは、利用者からの要求を受け付けると、前記個人情報を参照して正式登録された会員であるか否かを判定し、
正式登録された会員であった場合に、該会員が前記自己紹介文とニックネームとの登録を行なっているか否かを判定し、自己紹介文とニックネームとが登録されている会員だけのクライアントマシンに、前記共有仮想空間でのコミュニケーションサービスを実現することを特徴とするネットワークコミュニケーションシステム。
【請求項２】
コンピュータネットワークを用いた共有仮想空間でのコミュニケーションサービスを提供するネットワークコミュニケーションシステムであって、
会員の個人情報を認証用として登録すると共に、前記共有仮想空間でのサービスを提供する際に、前記共有仮想空間において公表される前記会員の自己紹介文とニックネームとを登録したサーバマシンと、
前記サーバマシンを管理する管理装置とを有し、
前記サーバマシンは、利用者からの要求を受け付けると、前記個人情報を参照して正式登録された会員であるか否かを判定し、
正式登録された会員である場合に、該会員が参加を希望するコミュニケーションサービスへの参加資格を該会員が有しているか否かを前記管理装置により設定された参加者条件により判定し、
会員が希望するコミュニケーションサービスへの参加資格を有していないと判定すると、コミュニケーションサービスへの参加が可能となるページへのリンクがない内容一覧ページを表示し、
前記会員が参加資格を有する会員であった場合に、該会員が前記自己紹介文とニックネームとの登録を行なっているか否かを判定し、自己紹介文とニックネームとが登録されている会員だけのクライアントマシンに、前記共有仮想空間でのコミュニケーションサービスを実現することを特徴とするネットワークコミュニケーションシステム。
【請求項３】
コンピュータネットワークを用いた共有仮想空間でコミュニケーションサービスを提供するコミュニケーションサービス提供方法であって、
会員の個人情報を認証用としてサーバマシンに登録する個人情報登録工程と、
前記共有仮想空間において公表する前記会員の自己紹介文とニックネームとを前記サーバマシンに登録する自己紹介登録工程と、
前記サーバマシンにおいて、利用者からの要求を受け付けると、前記個人情報を参照して正式登録された会員であるか否かを判定する正式会員判定工程と、
前記サーバマシンにおいて、正式登録された会員であった場合に、該会員が前記自己紹介文とニックネームとの登録を行なっているか否かを判定する自己紹介登録判定工程と、
前記サーバマシンにおいて、自己紹介文とニックネームとが登録されている会員だけのクライアントマシンに、前記共有仮想空間でのコミュニケーションサービスを実現するサービス提供工程と、
を有することを特徴とするコミュニケーションサービス提供方法。
【請求項４】
コンピュータネットワークを用いた共有仮想空間でコミュニケーションサービスを提供するコミュニケーションサービス提供方法であって、
管理者により設定されたコミュニケーションサービスへの参加資格をサーバマシンに登録する参加資格登録工程と、
会員の個人情報を認証用としてサーバマシンに登録する個人情報登録工程と、
前記共有仮想空間において公表する前記会員の自己紹介文とニックネームとを前記サーバマシンに登録する自己紹介登録工程と、
前記サーバマシンにおいて、利用者からの要求を受け付けると、前記個人情報を参照して正式登録された会員であるか否かを判定する正式会員判定工程と、
前記サーバマシンにおいて、正式登録された会員であった場合に、該会員が前記自己紹介文とニックネームとの登録を行なっているか否かを判定する自己紹介登録判定工程と、
自己紹介文とニックネームとが登録されている会員だけのクライアントマシンに、前記共有仮想空間でのコミュニケーションサービスを実現するサービス提供工程と、
を有することを特徴とするコミュニケーションサービス提供方法。
【請求項５】
コンピュータネットワークを用いた共有仮想空間でコミュニケーションサービスを提供するコミュニケーションサービス提供プログラムであって、
会員の個人情報を認証用としてサーバマシンに登録する個人情報登録処理と、
前記共有仮想空間において公表する前記会員の自己紹介文とニックネームとを前記サーバマシンに登録する自己紹介登録処理と、
前記サーバマシンにおいて、利用者からの要求を受け付けると、前記個人情報を参照して正式登録された会員であるか否かを判定する正式会員判定処理と、
前記サーバマシンにおいて、正式登録された会員であった場合に、該会員が前記自己紹介文とニックネームとの登録を行なっているか否かを判定する自己紹介登録判定処理と、
前記サーバマシンにおいて、自己紹介文とニックネームとが登録されている会員だけのクライアントマシンに、前記共有仮想空間でのコミュニケーションサービスを実現するサービス提供処理と、
を実行することを特徴とするコミュニケーションサービス提供プログラム。
【請求項６】
コンピュータネットワークを用いた共有仮想空間でコミュニケーションサービスを提供するコミュニケーションサービス提供プログラムであって、
管理者により設定されたコミュニケーションサービスへの参加資格をサーバマシンに登録する参加資格登録処理と、
会員の個人情報を認証用としてサーバマシンに登録する個人情報登録処理と、
前記共有仮想空間において公表する前記会員の自己紹介文とニックネームとを前記サーバマシンに登録する自己紹介登録処理と、
前記サーバマシンにおいて、利用者からの要求を受け付けると、前記個人情報を参照して正式登録された会員であるか否かを判定する正式会員判定処理と、
前記サーバマシンにおいて、正式登録された会員であった場合に、該会員が前記自己紹介文とニックネームとの登録を行なっているか否かを判定する自己紹介登録判定処理と、
自己紹介文とニックネームとが登録されている会員だけのクライアントマシンに、前記共有仮想空間でのコミュニケーションサービスを実現するサービス提供処理と、
を実行することを特徴とするコミュニケーションサービス提供プログラム。
【発明の詳細な説明】
【０００１】
【発明の属する技術分野】
本発明は、インターネット等のネットワーク上において、匿名参加者相互による会話の場をネット上に提供するネットワークコミュニケーションシステム、その方法及びプログラムに関する。
【０００２】
【従来の技術】
近年、「電子掲示板」と称されるネットワークコミュニケーションサービスがインターネット上で提供されている。
【０００３】
電子掲示板サービスの利用者は、インターネットへの接続環境と、いわゆるブラウザソフト（例えば、Ｉｎｔｅｒｎｅｔ  Ｅｘｐｌｏｒｅｒ：マイクロソフト社登録商標）と呼ばれるＨＴＭＬ（Ｈｙｐｅｒ  Ｔｅｘｔ  Ｍａｒｋｕｐ  Ｌａｎｇｕａｇｅ）対応の閲覧ツールを組み込んだパーソナルコンピュータとを用意するだけでよく、さらに、サービスの提供者も、インターネット接続業者（第一種、または第二種接続事業者：インターネットサービスプロバイダという）が用意したレンタルサーバを利用することが可能であり、この場合、専用の電話回線を引く必要がないなど、サービス利用者及び提供者の双方にとってアクセスの容易性や通信コスト及び運営コストを軽減できるなどのメリットがあることから、大量の会員を容易に集めることができる。
【０００４】
電子掲示板などのネットワークサービスを提供する際の技術課題について開示した特許文献として、以下に示す特許文献１〜３に開示されたものがある。
【０００５】
【特許文献１】
特開平６−２１９７５号公報
【特許文献２】
特開２００２−４１８４９号公報
【特許文献３】
特開２００１−３３１４１１号公報
【０００６】
特許文献１としての特開平６−２１９７５号公報の“ネットワーク間アクセス装置”に開示された技術について図７を参照しながら説明する。
登録資格者ＩＤテーブル１１１には、ネットワークＡ１００内のユーザのＩＤのうち、ネットワークＢ１２０の電子掲示板への記事登録資格を持つＩＤを登録しておく。ネットワーク間アクセス装置は、ネットワークＡをアクセスできる連携ＩＤ（Ａ）でネットワーク（Ａ）にアクセスし、ネットワーク（Ｂ）の電子掲示板への掲載記事があると、この記事を電子メールにより受信する。次に、登録資格者ＩＤテーブル１１１にこの電子メールの発信者のＩＤが登録されているか調べ、登録されていることを確認すると、連携ＩＤ（Ｂ）を用いてネットワークＢ１２０にアクセスし、その電子掲示板へ電子メールの内容を掲載する。このようにネットワークＢ１２０の電子掲示板へ掲示するネットワークＡ１００のユーザは、登録資格ＩＤテーブルで身元を確認しているので、ネットワークＢ１２０のセキュリティレベルを低下させることがないとしている。
【０００７】
また、特許文献２としての特開２００２−４１８４９号公報の“情報通信ネットワークにより実現される研究従事者間の情報交換方法並びに仮想面会方法及び該方法に適するサーバと情報端末”に開示された技術は以下に示すものである。
本従来例は、ユーザに対して、自己の氏名、住所、所属その他のＩＤ情報を送信するように促す手段と、ユーザに対して送信されてきたＩＤ情報に基づいて、所定の情報入力欄を作成及び送信し、この情報入力欄に該ユーザの研究テーマその他の自己紹介情報を書き込み、送信するように促す手段と、ユーザに対して、自己紹介情報が記憶された公開情報欄を閲覧するように促す手段と、ユーザに対して、公開情報欄の情報内容を確認させて、希望する他ユーザとの面会の申し込みを促す手段と、ユーザに対して、ネットワーク上における仮想面会機会を授与し、ユーザ間で相互情報交換を行なうように促す手段と、を少なくとも備えたことを特徴としている。
【０００８】
また、特許文献３としての特開２００１−３３１４１１号公報の電子掲示板システム及びそれに用いる投稿管理方法に開示された技術は、以下に示すものである。
会員のクライアントコンピュータが発言を文書ファイルの形でホストコンピュータに投稿し、他の会員のクライアントコンピュータがホストコンピュータに投稿された文書ファイルを閲覧自在とする電子掲示板システムであって、クライアントコンピュータからの文書ファイルの投稿を管理する投稿管理装置をホストコンピュータに有し、投稿管理装置が投稿を受け付けるか否かの判断に際して文書ファイルを投稿するクライアントコンピュータのパスワード情報を他の会員のクライアントコンピュータとの間で通信しあうことによって判断するようにしたことを特徴としている。
【０００９】
【発明が解決しようとする課題】
しかしながら、今までのインターネット上のコミュニケーションシステムは、インターネットにアクセスできるユーザであればだれでも参加できる、オープンな場として提供されていた。このため、例えば掲示板であれば荒らされてしまう危険性が高く、サイトの管理者の運営コストがかかり問題が起きた時の対処が難しいという問題を有していた。最悪の場合にはそのコミュニティサービスの閉鎖にもつながる。
【００１０】
また、従来技術では特定のユーザに対してコミュニティへの参加を制限させることができないため、発言の問題があった場合に再発を防止することができない。
【００１１】
また、従来技術ではコミュニティに参加する人がどのような人物であるのかがまったく分からないため、利用するユーザに不安感を与え、コミュニティ自体が活性化しなかった。
【００１２】
本発明は上記事情に鑑みてなされたものであり、コミュニティに参加するユーザの情報を登録する仕組みやアクセス制限機能を設けることでより安全性を高めたネットワークコミュニーケーションシステム、その方法及びプログラムを提供することを目的とする。
【００１３】
【課題を解決するための手段】
係る目的を達成するために請求項１記載の発明は、コンピュータネットワークを用いた共有仮想空間でコミュニケーションサービスを提供するネットワークコミュニケーションシステムであって、会員の個人情報を認証用として登録すると共に、共有仮想空間でのサービスを提供する際に、共有仮想空間において公表される会員の自己紹介文とニックネームとを登録したサーバマシンと、サーバマシンを管理する管理装置とを有し、サーバマシンは、利用者からの要求を受け付けると、個人情報を参照して正式登録された会員であるか否かを判定し、正式登録された会員であった場合に、該会員が自己紹介文とニックネームとの登録を行なっているか否かを判定し、自己紹介文とニックネームとが登録されている会員だけのクライアントマシンに、共有仮想空間でのコミュニケーションサービスを実現することを特徴とする。
【００１４】
請求項２記載の発明は、コンピュータネットワークを用いた共有仮想空間でのコミュニケーションサービスを提供するネットワークコミュニケーションシステムであって、会員の個人情報を認証用として登録すると共に、共有仮想空間でのサービスを提供する際に、共有仮想空間において公表される会員の自己紹介文とニックネームとを登録したサーバマシンと、サーバマシンを管理する管理装置とを有し、サーバマシンは、利用者からの要求を受け付けると、個人情報を参照して正式登録された会員であるか否かを判定し、正式登録された会員である場合に、該会員が参加を希望するコミュニケーションサービスへの参加資格を該会員が有しているか否かを管理装置により設定された参加者条件により判定し、会員が希望するコミュニケーションサービスへの参加資格を有していないと判定すると、コミュニケーションサービスへの参加が可能となるページへのリンクがない内容一覧ページを表示し、会員が参加資格を有する会員であった場合に、該会員が自己紹介文とニックネームとの登録を行なっているか否かを判定し、自己紹介文とニックネームとが登録されている会員だけのクライアントマシンに、共有仮想空間でのコミュニケーションサービスを実現することを特徴とする。
【００１５】
請求項３記載の発明は、コンピュータネットワークを用いた共有仮想空間でコミュニケーションサービスを提供するコミュニケーションサービス提供方法であって、会員の個人情報を認証用としてサーバマシンに登録する個人情報登録工程と、共有仮想空間において公表する会員の自己紹介文とニックネームとをサーバマシンに登録する自己紹介登録工程と、サーバマシンにおいて、利用者からの要求を受け付けると、個人情報を参照して正式登録された会員であるか否かを判定する正式会員判定工程と、サーバマシンにおいて、正式登録された会員であった場合に、該会員が自己紹介文とニックネームとの登録を行なっているか否かを判定する自己紹介登録判定工程と、サーバマシンにおいて、自己紹介文とニックネームとが登録されている会員だけのクライアントマシンに、共有仮想空間でのコミュニケーションサービスを実現するサービス提供工程と、を有することを特徴とする。
【００１６】
請求項４記載の発明は、コンピュータネットワークを用いた共有仮想空間でコミュニケーションサービスを提供するコミュニケーションサービス提供方法であって、管理者により設定されたコミュニケーションサービスへの参加資格をサーバマシンに登録する参加資格登録工程と、会員の個人情報を認証用としてサーバマシンに登録する個人情報登録工程と、共有仮想空間において公表する会員の自己紹介文とニックネームとをサーバマシンに登録する自己紹介登録工程と、サーバマシンにおいて、利用者からの要求を受け付けると、個人情報を参照して正式登録された会員であるか否かを判定する正式会員判定工程と、サーバマシンにおいて、正式登録された会員であった場合に、該会員が自己紹介文とニックネームとの登録を行なっているか否かを判定する自己紹介登録判定工程と、自己紹介文とニックネームとが登録されている会員だけのクライアントマシンに、共有仮想空間でのコミュニケーションサービスを実現するサービス提供工程と、を有することを特徴とする。
【００１７】
請求項５記載の発明は、コンピュータネットワークを用いた共有仮想空間でコミュニケーションサービスを提供するコミュニケーションサービス提供プログラムであって、会員の個人情報を認証用としてサーバマシンに登録する個人情報登録処理と、共有仮想空間において公表する会員の自己紹介文とニックネームとをサーバマシンに登録する自己紹介登録処理と、サーバマシンにおいて、利用者からの要求を受け付けると、個人情報を参照して正式登録された会員であるか否かを判定する正式会員判定処理と、サーバマシンにおいて、正式登録された会員であった場合に、該会員が自己紹介文とニックネームとの登録を行なっているか否かを判定する自己紹介登録判定処理と、サーバマシンにおいて、自己紹介文とニックネームとが登録されている会員だけのクライアントマシンに、共有仮想空間でのコミュニケーションサービスを実現するサービス提供処理と、を実行することを特徴とする。
【００１８】
請求項６記載の発明は、コンピュータネットワークを用いた共有仮想空間でコミュニケーションサービスを提供するコミュニケーションサービス提供プログラムであって、管理者により設定されたコミュニケーションサービスへの参加資格をサーバマシンに登録する参加資格登録処理と、会員の個人情報を認証用としてサーバマシンに登録する個人情報登録処理と、共有仮想空間において公表する会員の自己紹介文とニックネームとをサーバマシンに登録する自己紹介登録処理と、サーバマシンにおいて、利用者からの要求を受け付けると、個人情報を参照して正式登録された会員であるか否かを判定する正式会員判定処理と、サーバマシンにおいて、正式登録された会員であった場合に、該会員が自己紹介文とニックネームとの登録を行なっているか否かを判定する自己紹介登録判定処理と、自己紹介文とニックネームとが登録されている会員だけのクライアントマシンに、共有仮想空間でのコミュニケーションサービスを実現するサービス提供処理と、を実行することを特徴とする。
【００１９】
【発明の実施の形態】
次に、添付図面を参照しながら本発明のネットワークコミュニケーションシステム、その方法及びプログラムに係る実施の形態を詳細に説明する。図１〜図６を参照すると本発明のネットワークコミュニケーションシステム、その方法及びプログラムに係る実施の形態が示されている。
【００２０】
図１に示されるように本発明に係る実施形態は、複数台のクライアントマシン１０ａ、１０ｂ、１０ｃ、・・・と、電子掲示板サービスを提供するサーバマシン２０と、コミュニケーションシステムへの参加条件を設定する管理者装置３０と、を備えている。
【００２１】
図１を参照しながら本発明を電子掲示板サービスに適用した実施の形態を説明する。図１は、その概念構成図である。図１に便宜的に示す３台のクライアントマシン１０ａ、１０ｂ、１０ｃは、いずれもブラウザソフトの実行環境とインターネットへの接続環境を備えている。ここにそれぞれの操作者を便宜的に「ユーザＡ」、「ユーザＢ」、「ユーザＣ」ということにすると、これらのユーザＡ〜ユーザＣは電子掲示板サービスの参加者である。インターネットは、各ユーザＡ〜ユーザＣ（正確にはクライアントマシン１０ａ〜１０ｃ）からインターネットサービスプロバイダまでの公衆電話回線網（ユーザ宅に設置されたモデムやターミナルアダプタを含む）、及びインターネットサービスプロバイダ内のＤＮＳ（Ｄｏｍａｉｎ  Ｎａｍｅ  Ｓｙｓｔｅｍ）サーバやネットワークなどを包括的に模式化して示しており、このネットワークには電子掲示板のサービスを提供するためのサーバマシン２０が接続されている。
【００２２】
サーバマシン２０は、インターネットプロバイダが用意したレンタルサーバまたは電子掲示板サービスの提供者（事業者）が自前で用意した専用のサーバのいずれであってもよい。専用サーバの場合、インターネットプロバイダ内に設置することもあるし、電子掲示板サービス事業者内に設置することもある。
【００２３】
サーバマシン２０は、少なくとも認証機能２１と、個人情報登録機能２２と、ページ振り分け機能２３と、自己紹介機能２４と、アクセス制御機能２５とを具備している。
【００２４】
認証機能２１は、要求のあった利用者との認証を行ない、認証に成功した正規の会員だけに電子掲示板サービスへのアクセスを許可する。また、認証に成功しなかった利用者に対しては、個人情報の登録を要求する。
【００２５】
個人情報登録機能２２は、電子掲示板サービスに参加するために必要な個人情報を登録する機能である。登録された個人情報を用いて、アクセスしてきたユーザとの認証が行なわれる。登録した個人情報は個人情報ファイルに保存される。
【００２６】
ページ振り分け機能２３は、管理者により設定された参加条件にあう人とあわない人を判別し、設定されたページをそれぞれに呼び出して表示する機能である。
【００２７】
自己紹介機能２４は、登録済みの会員情報に電子掲示板システムで必要となる項目、ニックネームと自己紹介文等の紹介情報を追加登録させ、他の電子掲示板システムのメンバーに公開することを同意を取る機能である。追加登録した紹介情報は、会員情報ファイルに書き出される。
【００２８】
アクセス制御機能２５は、自己紹介機能２２で登録を行なった人だけのアクセスを許可する機能である。アクセス不許可の場合には、自己紹介機能２２による登録への誘導ページを表示する。
【００２９】
また、管理者装置３０は、掲示板システムの運用と、自己紹介機能２４で登録した会員の紹介情報の参照、更新、削除を行なうことができる。また、それぞれの掲示板システムへの参加を許可する条件の設定を行なうことができる。
【００３０】
このような構成を有する本実施形態は、ネットワーク上の安全な領域で特定の会員同士のコミュニケーションを実現するネットワークコミュニケーションシステムを提供することを目的としている。
【００３１】
このため本実施形態は、予め個人情報の登録を行なった会員からのアクセスにより、この会員に掲示板サービスに参加するための自己紹介を行なってもらう。自己紹介をしてもらう内容には、掲示板サービスで使用するニックネームと、自己紹介文とを少なくとも有している。ニックネームと自己紹介文は、認証用に登録する個人情報から判断して不適当である場合には、登録されないようにする。自己紹介された内容は、個人情報と対応付けて管理される。なお、この自己紹介情報は、掲示板サービスに参加する他の参加者に公開される。
【００３２】
また、管理者装置３０は、会員により登録された個人情報の参照、ニックネーム、自己紹介文の参照、更新、削除が可能であるため掲示板サービスへの参加を調整することができる。
【００３３】
このように自己紹介情報が他の参加者に公開されることで、参加者のなりすましを防止し、参加者の無責任な発言を抑止する効果を得ることができる。
【００３４】
ニックネームと自己紹介文は、認証用に登録する個人情報から判断して不適当である場合には、登録されないようにすることでなりすましを防止することができる。
【００３５】
また、管理者装置３０により、個人情報の閲覧が可能であるため、掲示板サービスへの参加をコントロールすることができる。
【００３６】
また、サーバマシン２０は、自己紹介情報の登録がなされると、個人情報ファイルに登録されている個人情報を参照して、該当会員が参加可能な掲示板サービスを選択する。掲示板サービスは、参加できる参加者の条件により複数の掲示板に分かれているものとする。例えば、１０歳以下の子供だけに開かれた掲示板サービスや、６０歳以上のお年寄りのための掲示板サービスなどである。図３、４に、管理者端末により設定される参加者条件の一例を示す。
【００３７】
自己紹介情報を登録し、管理者により設定された参加者条件を満たすと認められた会員には、読み書きするページへのリンクがある掲示板一覧ページが該当会員のクライアントマシン１０に表示される。また、この掲示板サービスへの参加資格のない会員には、掲示板サービスへのリンクが貼られていない掲示板内容一覧ページが該当会員のクライアントマシン１０に表示される。掲示板サービスへのリンクが貼られていない内容一覧ページとは、タイトルや投稿者は見ることができるが、記事を閲覧することや書き込みページへのリンクもないページである。なお、この処理は、サーバマシン２０のページ振り分け機能によって実現され、リンクが貼られた内容一覧ページとリンクが貼られていない内容一覧ページとは予め用意しておくものであってもよいし、リンクの貼られていない内容一覧ページに動的にリンクを埋め込むものであってもよい。
【００３８】
このように登録した個人情報により参加できる掲示板サービスに制限をかけることで、参加条件を満たす会員（例えば、子供だけ、３０歳以上の女性だけ）だけが参加することができる安全なコミュニケーションエリアを提供することができる。
【００３９】
次に、図５に示されたフローチャート、及び図６の動作手順を模式的に示す図を参照しながら本実施形態の動作手順を説明する。まず、会員登録の手順について図５に示されたフローチャートを参照しながら説明する。
掲示板サービスへの会員登録を希望するユーザは、掲示板サービス事業者がインターネット上で公開する会員登録申し込み用ホームページを開いてオンラインで申し込む（ステップＳ１）。または郵送やファックスで掲示板サービス事業者に直接申し込むものであってもよい。掲示板サービス事業者のサーバマシン２０は、アクセスを受けた利用者が最初のアクセスであった場合には（ステップＳ２／ＹＥＳ）、ユーザが申し込み時に申告した自己の氏名、性別、住所及び連絡先電話番号等の個人情報を受け取り、個人情報ファイルに登録する（ステップＳ３）。なお、個人情報の重要な点は、受け付けに際して申告された個人情報の信頼性を確保するために、本人確認等の何らかの手段を講じる。
【００４０】
次に、個人情報の登録を終えた会員に掲示板サービスに参加するための自己紹介を行ってもらう（ステップＳ４）。自己紹介をしてもらう内容には、掲示板サービスで使用するニックネームと、自身を紹介する自己紹介文とが少なくとも含まれている。自己紹介された内容は、個人情報と対応付けられ、会員情報ファイルに登録される。なお、この自己紹介情報は、掲示板サービスに参加する他の参加者に公開される。
【００４１】
次に、個人情報及び自己紹介の登録を済ませた会員からのアクセスがあった場合のシステム側の動作手順を説明する。
まず、サーバマシン２０は、ユーザからのアクセスを受け付けると（ステップＳ１）、このユーザとの認証を実施し（ステップＳ５）、当該アクセスが個人情報の登録を行なった会員からのものであるか否かを判定する（図６に示された▲１▼）。会員からのものではなかった場合には、通信を終了する（ステップＳ６）。または個人情報の登録を促す画面をユーザの端末に表示させるものであってもよい。個人情報の登録がなされない限り、当該ユーザからのアクセスは受け付けない。
【００４２】
次に、認証に成功すると、掲示板サービスで提供しているすべての掲示板の一覧を表示し、会員に参加を希望する掲示板を選択させる。掲示板サービスは、参加できる参加者の条件により複数の掲示板に分かれているものとする。例えば、１０歳以下の子供だけに開かれた掲示板サービスや、６０歳以上のお年寄りのための掲示板サービスなどである。この設定は、掲示板サービスの管理者により設定される。掲示板が選択されると、選択された掲示板の参加資格を当該会員が満たしているか否かを個人情報ファイルから判定する（ステップＳ７）（図６の▲２▼には、参加資格が子供である場合を例示している）。
【００４３】
会員が参加資格を満たしていないと判断すると、読み書きするページへのリンクがない掲示板一覧ページが該当クライアントマシン１０に表示される。（ステップＳ８）（図６に示された▲３▼）。また、会員が参加資格を満たしていると判断すると、読み書きするページへのリンクがある掲示板ページを表示する（ステップＳ９）（図６に示された▲４▼）。なお、読み書きするページへのリンクがない掲示板一覧ページとは、タイトルや投稿者は見ることができるが、記事を閲覧することや書き込みページへのリンクもないページである。
【００４４】
次に、読み書きするページへのリンクがある掲示板ページを表示すると、認証に用いた個人情報から該当会員が自己紹介を行なった会員であるか否かを判定する（ステップＳ１０）（図６に示された▲４▼）。自己紹介を行なっていない会員であった場合には（ステップＳ１０／ＮＯ）、自己紹介を行なうことで掲示板を利用できるようになる旨を通知し、ニックネームと自己紹介文の登録を促す（ステップＳ１１）（図６に示された▲５▼）。ニックネームと自己紹介文は、認証用に登録する個人情報から判断して不適当（例えば、個人情報では男性であるのに、女性と偽る）である場合には、登録されないようにすることでなりすましを防止することができる。入力されたニックネームと自己紹介文は、会員情報ファイルに登録される（図６に示された▲６▼）。
【００４５】
自己紹介情報を登録し、管理者により設定された参加者条件を満たすと認められた会員、または自己紹介文とニックネームとを新たに登録した会員に対しては、掲示板ページが該当会員のクライアントマシン１０に表示される。なお、会員によって表示する掲示板ページを変える処理は、サーバマシン２０のページ振り分け機能によって実現され、リンクが貼られた内容一覧ページとリンクが貼られていない内容一覧ページとは予め用意しておくものであってもよいし、リンクの貼られていない内容一覧ページに動的にリンクを埋め込むものであってもよい。
【００４６】
このように本実施形態は、自己紹介情報が他の参加者に公開されることで、参加者のなりすましを防止し、参加者の無責任な発言を抑止する効果を得ることができる。
【００４７】
また、ニックネームと自己紹介文は、認証用に登録する個人情報から判断して不適当である場合には、登録されないようにすることでなりすましを防止することができる。
【００４８】
また、管理者装置３０により、個人情報の閲覧が可能であるため、掲示板サービスへの参加をコントロールすることができる。
【００４９】
また、登録した個人情報により参加できる掲示板サービスに制限をかけることで、参加条件を満たす会員（例えば、子供だけ、３０歳以上の女性だけ）だけが参加することができる安全なコミュニケーションエリアを提供することができる。
【００５０】
なお、上述した実施形態は本発明の好適な実施の形態である。但し、これに限定されるものではなく、本発明の要旨を逸脱しない範囲内において種々変形実施可能である。例えば、上述した実施形態では、参加条件を満たさない会員は、タイトルと投稿者を閲覧することできる一覧ページの閲覧が可能であったが、参加条件を満たさない会員には、一覧ページさえも閲覧不可能に制限するものであってもよい。この設定は、管理者の参加条件を変更することで実現する。また、参加可能となる条件を複数設定してもよい。例えば、子供という条件に女性という条件を加えることも可能である。これにより女の子だけの掲示板を提供することもできる。また、上述した実施形態では掲示板サービスについて説明したが、本発明はこれに限定されるものではなく、チャットシステム、ホームページサービスなどいろいろな基盤システムに置き換えてサービスすることもできる。
【００５１】
【発明の効果】
以上の説明より明らかなように本発明は、ニックネームと自己紹介文とからなる自己紹介情報を他の参加者に公開することで、参加者のなりすましを防止し、参加者の無責任な発言を抑止する効果を得ることができる。
【００５２】
また、登録した個人情報により参加できる掲示板サービスに制限をかけることで、参加条件を満たす会員だけが参加することができる安全なコミュニケーションエリアを提供することができる。
【図面の簡単な説明】
【図１】本発明に係る実施形態の構成を示すブロック図である。
【図２】サーバマシン２０の機能を概念的に表す図である。
【図３】会員の参加資格を規定する条件の一例を示すものである。
【図４】会員の参加資格を規定する条件の一例を示すものである。
【図５】動作手順を示すフローチャートである。
【図６】動作手順を示す図である。
【図７】従来の構成を示す図である。
【符号の説明】
１０  クライアントマシン
２０  サーバマシン
３０  管理装置
【図１】
2004152193.tif 000003
【図２】
2004152193.tif 000004
【図３】
2004152193.tif 000005
【図４】
2004152193.tif 000006
【図５】
2004152193.tif 000007
【図６】
2004152193.tif 000008
【図７】
2004152193.tif 000009